(57)【要約】【課題】  切り取るなどの必要が無く、取り扱いが容易な、名刺の機能、インフォーメーション、メッセージ、広告等の機能、葉書の機能をもったコミュニケーション葉書を提供する。【解決手段】  巾の大きさを名刺の縦部の大きさとほぼ同じとしたコミュニケーション用の葉書において、該葉書の上の部分（Ａ）を下側（裏側）に折り畳み、かつ、該葉書の下の部分（Ｃ）を上側（表側）に折り畳み、名刺大の区画を現出することにより名刺機能をもたせたことを特徴とするコミュニケーション葉書である。【選択図】図１
0003108471.tif 000002
【実用新案登録請求の範囲】
【請求項１】
巾の大きさを名刺の縦の大きさとほぼ同じとしたコミュニケーション用の葉書において、該葉書の表の上の部分（Ａ）を下側（裏側）に折り畳み、かつ、該葉書の表の下の部分（Ｃ）を上側（表側）に折り畳み、名刺大の区画を現出することにより名刺機能をもたせたことを特徴とするコミュニケーション葉書。
【請求項２】
該葉書の引渡人への返信用に、該葉書表面の上の部分（Ａ）に該引渡人の郵便番号、住所を記載し、同中央の部分（Ｂ）に該引渡人の氏名及び／又は名称を記載し、返信可能としたことを特徴とする請求項１記載のコミュニケーション葉書。
【請求項３】
該葉書表面の下の部分を上側（表側）に折り畳んだときに現れる該葉書の裏面（Ｃ’）の部分に該葉書表面中央の部分（Ｂ）に記載した氏名人物の顔写真を配したことを特徴とする請求項２に記載のコミュニケーション葉書。
【請求項４】
該葉書の下の部分（Ｃ）にコミュニケーション葉書の受取人のメッセージの記載を可能としたことを特徴とする請求項２又は請求項３に記載のコミュニケーション葉書。
【考案の詳細な説明】
【技術分野】
【０００１】
本考案は、名刺の機能、インフォーメーション、メッセージ、広告等の機能、葉書の機能をもったコミュニケーション葉書に関する。
【背景技術】
【０００２】
葉書に色々な機能を持たせることは既に知られているところである。特開２０００−１３５８８０号公報には、広告用印刷物を製造する際に、同時に葉書も製造することができるとともに、見出し効果をも兼ね備えた葉書付き広告用印刷物が記載されている。特開平７−２９０８６６号公報には、カタログそのものを少なくとも二つ折りにして、その中の一の葉に切り取り線を介して返信用はがきを連続形成して、各葉の開放端縁を粘着テープにより固定できるようにし、葉の一つの表面にはあて名を記すスペースを設けた広告カタログが記載され、特開２００４−３４６４４号公報には、ピクチャーフレームとしてだけではなく更にははがきとして二重の役目を果たすピクチャーフレームが記載されている。
【０００３】
更に、葉書に名刺機能を持たせたものも多数知られている。例えば、特開２００４−９０６０５号公報には、葉書に名刺大にミシン目線を設け、ミシン目線に沿って名刺を設けている。ミシン目線を入れる代わりに、名刺大の大きさに切取線を設け、切り取って名刺とする例も、多数知られている。これらの例は、特開２００３−３０５９７４号公報、特開２００１−１２１８５３号公報、特開平１０−３０９８８３号公報、特開平１０−１４７０８３号公報、特開平９−５８１５８号公報、実開平７−３５０６６号公報、実開平６−４２２１９号公報、実開平３−９８０７７号公報、実開平４−２４３８８号公報、実開平４−５８３７９号公報、実開平４−６０４６８号公報、実開平４−６７０７８号公報、実開平４−７９６６９号公報、実開平３−３１５７８号公報、実開平３−９８０７７号公報、実用新案登録第３０７９４３６号公報、実用新案登録第３０６９５５６号公報等に記載されている。
【０００４】
【特許文献１】特開２０００−１３５８８０号公報
【特許文献２】特開平７−２９０８６６号公報
【特許文献３】特開２００４−３４６４４号公報
【特許文献４】特開２００４−９０６０５号公報
【特許文献５】特開２００３−３０５９７４号公報
【特許文献６】特開２００１−１２１８５３号公報
【特許文献７】特開平１０−３０９８８３号公報
【特許文献８】特開平１０−１４７０８３号公報
【特許文献９】特開平９−５８１５８号公報
【特許文献１０】実開平７−３５０６６号公報
【特許文献１１】実開平６−４２２１９号公報
【特許文献１２】実開平３−９８０７７号公報
【特許文献１３】実開平４−２４３８８号公報
【特許文献１４】実開平４−５８３７９号公報
【特許文献１５】実開平４−６０４６８号公報
【特許文献１６】実開平４−６７０７８号公報
【特許文献１７】実開平４−７９６６９号公報
【特許文献１８】実開平３−３１５７８号公報
【特許文献１９】実開平３−９８０７７号公報
【特許文献２０】実用新案登録第３０７９４３６号公報
【特許文献２１】実用新案登録第３０６９５５６号公報
【０００５】
以上のように、葉書に種々の機能を持たせようとする試みは、多数行われている。しかしながら、特許文献１（特開２０００−１３５８８０号公報）記載の葉書付き広告用印刷物は、糊付けしたり、更にはミシン目線を入れるなど、込み入った作業が必要となっており、取り扱いが不便なものである。特許文献２（特開平７−２９０８６６号公報）記載の広告カタログは、カタログの一端に返信用葉書を設けているが、名刺の機能は持たせていない。その上、粘着テープで固定する、切取線を設ける、葉書は切り取る必要があるなど取り扱いが不便なものである。特許文献３（特開２００４−３４６４４号公報）に記載のはがき機能をもつピクチャーフレームは、折りたたんだときに葉書としても役立つもので、葉書にする際には寸法が限られる、名刺の機能はないという問題がある。
【０００６】
更に、葉書に名刺機能を持たせたものは、特許文献４（特開２００４−９０６０５号公報）記載のものをはじめとして、多数知られているが、これらはいずれも、葉書に名刺大の大きさの領域を設け、その周辺をミシン目線や切取線で囲み、名刺を葉書から切り離して名刺として使用するものである。いずれにしても、名刺を葉書からミシン目線や切取線に沿って切り取らなければならず、取り扱いが不便になっている。また、名刺を切り取ってしまった後は、葉書は返信用としては利用できないものとなる。
【０００７】
また、葉書の巾を名刺大の大きさにすることは、特許文献２１（実用新案登録第３０６９５５６号公報）や特許文献６（特開２００１−１２１８５３号公報）に記載されている。しかしながら、これら特許文献に記載の名刺大巾の葉書はいずれも、ミシン目線を設けてこのミシン目線から名刺を切り取らなければならず、名刺として利用する場合には、取り扱いが不便になっている。また、同様に、名刺を切り取ってしまった後は、葉書は返信用としては利用できないものとなる。
【考案の開示】
【考案が解決しようとする課題】
【０００８】
本考案は、以上の問題を解消した、切り取るなどの必要が無く取り扱いが容易な、名刺の機能、インフォーメーション、メッセージ、広告等の機能、葉書の機能をもち、返信可能なコミュニケーション葉書を提供しようとするものである。
【課題を解決するための手段】
【０００９】
本考案の要旨は、巾の大きさを名刺の縦の大きさとほぼ同じとしたコミュニケーション用の葉書において、該葉書の表の上の部分（Ａ）を下側（裏側）に折り畳み、かつ、該葉書の表の下の部分（Ｃ）を上側（表側）に折り畳み、名刺大の区画を現出することにより名刺機能をもたせたことを特徴とするコミュニケーション葉書である。このコミュニケーション葉書は、該葉書の引渡人への返信用に、該葉書表面の上の部分（Ａ）に該引渡人の郵便番号、住所を記載し、同中央の部分（Ｂ）に該引渡人の氏名及び／又は名称を記載し、返信可能とすることができる。ここで、引渡人というのは、本考案のコミュニケーション葉書を最初に他の人に手渡す人を意味し、受取人というのは、引渡人から当該コミュニケーション葉書を手渡され、受け取った人を意味する。
【００１０】
また、該葉書表面の下の部分を上側（表側）に折り畳んだときに現れる該葉書の裏面（Ｃ’）の部分に該葉書表面中央の部分（Ｂ）に記載した氏名人物の顔写真を配することができる。更に、該葉書の下の部分（Ｃ）にコミュニケーション葉書の受取人のメッセージの記載を可能とすることができる。
【考案の効果】
【００１１】
本考案は、名刺の機能、インフォーメーション、メッセージ、広告等の機能、葉書の機能をもったコミュニケーション葉書を提供するものである。本考案のコミュニケーション葉書は、コミュニケーションとしての機能を有することを特徴とするものである。コミュニケーション葉書に、商品の紹介、宣伝、広告を含めたインフォーメーション、メッセージ、更には、活動報告、政策を含めたインフォーメーション、メッセージを記載することにより、インフォーメーション、メッセージ、広告等の機能を持たせることができる。そして、このコミュニケーション葉書の表面に返信用に住所、氏名、名称等を記載し、料金受取人払いとすることにより、返信用葉書としての機能をもたせることができる。この際、商品注文、問い合わせや住所変更の届け出用として、各種アンケート用として、友人、知人等の照会用として、政策提言用としても活用することができる。更に、氏名が記載された中央の部分を残して、葉書の上の部分を下側（裏側）に折り畳み、かつ、葉書の下の部分を上側（表側）に折り畳むことにより、簡単に、名刺としての機能を発揮させることができる。
【考案を実施するための最良の形態】
【００１２】
本考案は、名刺の機能、インフォーメーション、メッセージ、広告等の機能、返信用葉書としての機能をもったコミュニケーション葉書である。具体的には、図１に示したもので、葉書の巾が名刺の縦の長さとほぼ同じ長さの約９ｃｍに取り、葉書の縦の長さを１４〜１５．４ｃｍに取り、その表に通常の郵便葉書と同様に、返信先の郵便番号、住所及び氏名、名称等が記載される。裏面には、各種インフォーメーション、メッセージ、主義・主張、広告等コミュニケーションに役立つ事項が記載される。その他、コミュニケーション葉書の受取人が、引渡人へのメッセージを記載するためのスペースを設けることができる。そして、氏名が記載された中央の部分を残して、葉書の上の部分を下側（裏側）に折り畳み、かつ、葉書の下の部分を上側（表側）に折り畳むことにより、名刺としての機能を発揮する。
【００１３】
本考案のコミュニケーション葉書は、色々な目的に使用することができる。例えば、商業用としては、商品の紹介、宣伝に始まり商品の受注等に利用することができる。活動家にあっては、自分の主義・主張を述べることから始まり、活動報告や政策の伝達に利用できるほか、友人、知人等の紹介や政策の提言を受けることにも利用することができる。その他、このコミュニケーション葉書の受取人は、商品の注文、各種問い合わせ、住所変更等の通知にも利用することができる。
【００１４】
図１において、（ａ）は本考案の葉書を側面から見た図であり、（ｄ）はその状態における葉書の表面を示している。（ｂ）は、葉書の表面を上にして、Ｘの位置で上の部分を下側（裏側、図に於いては右側）に折り曲げた状態を示している。（ｂ）の状態における葉書の表面を示したのが（ｅ）である。丁度氏名が書かれた箇所の上で葉書の上の部分Ａが下側（裏側）に折り曲げられている。葉書の上の部分Ａを下側（裏側）に折り曲げたことにより、葉書の郵便番号、切手、住所の部分が見えなくなり、氏名が記載された中央の部分Ｂと、返信先へのメッセージなどが記載される下の部分Ｃが残存する形態になる。中央の部分Ｂには、氏名を書くが、企業や商店であれば、企業の名称、商店の屋号などを書くこともできる。折り畳み位置を示すＸ、Ｙに対応する位置は、氏名や名称が明確に確認できるように、且つ、折り畳んだ後の大きさが名刺大になるように、適宜決めることができる。また、氏名や名称が記載された箇所を中心に実線、点線等を引いてＸ、Ｙに対応する位置を明確に示すこともできる。
【００１５】
図１において（ｃ）は、（ｂ）の状態から更に葉書の下の部分Ｃを上側（表側、図では左側）に折り曲げた状態を示している。これに対応する葉書の表面の状態が（ｆ）で示されている。（ｆ）において、葉書の中央の部分Ｂに記載された氏名が明瞭に示されている。（ｆ）において表面に新たに現れた部分Ｃ’は葉書の裏面の上部である。ここには、住所、電話番号、ファックス番号、ｅ−ｍａｉｌアドレス等を記載しても良いし、図２に示したように、本人の顔写真を掲載しても良い。図１（ｆ）の状態に畳まれた葉書は、丁度名刺大の大きさとなり、名刺としての機能を果たすことができる。
【００１６】
本考案のコミュニケーション葉書を具体的に使用するには、まず、葉書を折り畳んだ図１（ｃ）の状態で先方（受取人）に渡す。この際、コミュニケーション葉書の表面は図１（ｆ）の状態にあり、コミュニケーション葉書の引渡人の氏名や名称が記載されている。図１（ｆ）の状態に畳まれた葉書は、前述したように、名刺としての機能がある。この名刺大に折り畳まれたコミュニケーション葉書の受取人は、コミュニケーション葉書の引渡人の氏名や名称等を知ることができる。この折り畳まれた葉書を拡げると名刺の巾をもった葉書に変身する。コミュニケーション葉書は、その表面には、コミュニケーション葉書の引渡人の郵便番号、住所、氏名、名称等が記載され、料金受取人払いとなっている。葉書の裏面には、商品の紹介、商品の宣伝、注文方法等、また、活動報告や政策等が記載されている。
【００１７】
コミュニケーション葉書を受け取った人は、裏面に記載されたインフォーメーション、メッセージ、広告等を読むことにより、コミュニケーション葉書の引渡人の意図を理解することができる。それに基づいて、商品を注文したり、問い合わせをしたり、自分の意見、見解や連絡事項を相手に伝達することができる。その場合には、コミュニケーション葉書の表面の下の部分図１のＣに、意見、見解、連絡事項を記載して、返信葉書として引渡人宛に送る。
【産業上の利用可能性】
【００１８】
このようにして、コミュニケーション葉書の引渡人とその受取人との間で、効率的なコミュニケーションを行うことができる。しかも、掛かる費用は大きなものではないので、費用対効果の点でも優れたコミュニケーション手段になる。即ち、本考案のコミュニケーション葉書は、時代の流れに合った経済効果の高いコミュニケーション手段となり、産業上大いに利用できるものである。
【図面の簡単な説明】
【００１９】
【図１】コミュニケーション葉書を説明する図である
【図２】顔写真を掲載した例を示す図である
【符号の説明】
【００２０】
Ｘ、Ｙ            折り畳む位置を示す（点線で示している）
Ａ                葉書の表面の上の部分を示す
Ｂ                葉書の表面の中央の部分を示す
Ｃ                葉書の表面の下の部分を示す
Ｃ’              葉書の裏面の上の部分を示す
【図１】
0003108471.tif 000003
【図２】
0003108471.tif 000004